(57)【要約】【課題】防水栓に挿通させる際に防水栓を傷つけて防水性を損なうことがなく、しかも、加工精度の緩和によって製造コストの低減を図ることのできる防水コネクタ用端子を提供すること。【解決手段】金属板の折り曲げ加工によって相手の端子金具が嵌合する角筒構造に成形されると共に、側縁同士が突き合される一対の側壁１１，１４の一方に突設された係止片１５１，１５２が側壁１１，１４相互の開きを防止するために他方の側壁１４の上に折り重ねられる嵌合筒部１０において、他方の側壁１４は、係止片１５１，１５２が折り重ねられる位置に、係止片１５１，１５２が他方の側壁１４より外方に突出しないように収まる凹部１４ａ，１４ｂを備えている。【選択図】図１
2013026155.tif 000002
【特許請求の範囲】
【請求項１】
金属板の折り曲げ加工によって相手の端子金具が嵌合する角筒構造に成形されると共に、側縁同士が突き合される一対の側壁の一方に突設された係止片が側壁相互の開きを防止するために他方の側壁の上に折り重ねられる嵌合筒部と、該嵌合筒部の後端に一体形成されて電線が接続される電線接続部と、を備え、前記嵌合筒部側から防水コネクタに装着された防水栓に挿通される防水コネクタ用端子であって、
前記他方の側壁は、前記係止片が折り重ねられる位置に、前記係止片が前記他方の側壁より外方に突出しないように収まる凹部を備えていることを特徴とする防水コネクタ用端子。
【請求項２】
前記他方の側壁は、前記角筒構造において前記一方の側壁に対向する第３の側壁の側縁から延出して前記他方の側壁の外表面を提供する外側板材と、該外側板材から延出し前記外側板材の裏面に折り重ねられる内側板材と、を備え、
前記外側板材の前記係止片と重なる範囲が切除されることで前記凹部が形成されていることを特徴とする請求項１に記載の防水コネクタ用端子。
【発明の詳細な説明】
【技術分野】
【０００１】
本発明は、防水コネクタに装着された防水栓に挿通される防水コネクタ用端子に関する。
【背景技術】
【０００２】
図５は、下記特許文献１に開示された防水コネクタ１１０を示したものである。
この防水コネクタ１１０は、樹脂製ハウジング１１１に装備される端子挿入孔１１２の基端側に、防水栓１２０が装備されている。
【０００３】
防水栓１２０は、嵌合筒部１３１側から端子挿入孔１１２に挿入装着される防水コネクタ用端子１３０と嵌合して、防水コネクタ用端子１３０に接続されている電線１４０を伝って雨水等が樹脂製ハウジング１１１内に浸入することを防止する。
【０００４】
防水コネクタ用端子１３０は、金属板のプレス成形により形成される雌型端子で、相手の雄型端子が嵌合する嵌合筒部１３１と、この嵌合筒部１３１の後端に一体形成されて電線１４０が接続される電線接続部１３２と、を備える。
嵌合筒部１３１は、金属板の折り曲げ加工によって相手の端子金具が嵌合する角筒構造に成形される。
【０００５】
嵌合筒部１３１の成形時には、図６に示すように、角筒構造を構成する左右上下の４面の側壁１４１，１４２，１４３，１４４の内、展開状態で両端となる側壁１４１，１４４の側縁同士が突き合される。
【０００６】
図６の場合、側縁同士が突き合される一対の側壁１４１，１４４の内、一方の側壁１４１は嵌合筒部１３１における右部側壁であり、他方の側壁１４４は嵌合筒部１３１における上部側壁である。
【０００７】
図５及び図６に示した防水コネクタ用端子１３０の場合、側縁同士が突き合される側壁１４１、１４４相互のスプリングバック等による開きを防止するために、突き合される一対の側壁１４１，１４４の一方の側壁１４１に形成された係止片１４５が他方の側壁１４４の上に折り重ねられる。
【０００８】
図５及び図６に示した防水コネクタ用端子１３０の場合、係止片１４５は、他方の側壁１４４の外表面から突出した状態になっている。
【０００９】
図７及び図８は、下記特許文献２に開示された防水コネクタ用端子２３０を示したものである。
【００１０】
この防水コネクタ用端子２３０も、金属板のプレス成形により形成される雌型端子で、図５に示した防水コネクタ用端子１３０と同様に、角筒構造の嵌合筒部２３１側から防水栓に挿通される。
【００１１】
特許文献２における嵌合筒部２３１は、右部側壁２４１、下部側壁２４２、左部側壁２４３、上部側壁２４４が、角筒構造の４方の側壁となる。また、嵌合筒部２３１の場合、右部側壁２４１には、上部側壁２４４の下面に積層される係止用板部２４５が延設されている。
【００１２】
係止用板部２４５は、左部側壁２４３の側縁に突設した係止片２４６を、左部側壁２４３に貫通形成された係止孔２５１に嵌入させることで、左部側壁２４３に結合される。そして、係止片２４６が係止孔２５１に嵌入することによる係止用板部２４５と左部側壁２４３との結合が、嵌合筒部２３１の開き防止となる。
【先行技術文献】
【特許文献】
【００１３】
【特許文献１】特開２００８−４４７１号公報
【特許文献２】特開平８−７９６４号公報
【発明の概要】
【発明が解決しようとする課題】
【００１４】
ところが、特許文献１に示した防水コネクタ用端子１３０のように、嵌合筒部１３１の開きを防止するための係止片１４５が嵌合筒部１３１の外表面に突出する構造では、防水コネクタ用端子１３０を防水栓に挿通した際に、防水栓の内面を係止片１４５が引っ掻いて、防水栓を傷つけてしまうおそれがあった。そして、防水栓の傷つきによって、防水栓による防水性を損なうおそれがあった。
【００１５】
一方、特許文献２に示した防水コネクタ用端子２３０のように、嵌合筒部２３１の開きを防止するために係止片２４６と係止孔２５１との嵌入を利用する構造の場合は、係止片２４６が外表面に突出しないため、防水栓の傷つきを防止することができる。しかし、特許文献２の防水コネクタ用端子２３０の構造の場合、単純に係止片１４５を隣接する側壁の上に折り重ねる特許文献１の構造と比較すると、高い加工精度が要求され、加工精度の向上のために製造コストが高額化するおそれがあった。
【００１６】
そこで、本発明の目的は、上記課題を解消することに係り、防水栓に挿通させる際に防水栓を傷つけて防水性を損なうことがなく、しかも、加工精度の緩和によって製造コストの低減を図ることのできる防水コネクタ用端子を提供することにある。
【課題を解決するための手段】
【００１７】
本発明の前述した目的は、下記の構成により達成される。
（１）金属板の折り曲げ加工によって相手の端子金具が嵌合する角筒構造に成形されると共に、側縁同士が突き合される一対の側壁の一方に突設された係止片が側壁相互の開きを防止するために他方の側壁の上に折り重ねられる嵌合筒部と、該嵌合筒部の後端に一体形成されて電線が接続される電線接続部と、を備え、前記嵌合筒部側から防水コネクタに装着された防水栓に挿通される防水コネクタ用端子であって、
前記他方の側壁は、前記係止片が折り重ねられる位置に、前記係止片が前記他方の側壁より外方に突出しないように収まる凹部を備えていることを特徴とする防水コネクタ用端子。
【００１８】
（２）前記他方の側壁は、前記角筒構造において前記一方の側壁に対向する第３の側壁の側縁から延出して前記他方の側壁の外表面を提供する外側板材と、該外側板材から延出し前記外側板材の裏面に折り重ねられる内側板材と、を備え、
前記外側板材の前記係止片と重なる範囲が切除されることで前記凹部が形成されていることを特徴とする上記（１）に記載の防水コネクタ用端子。
【００１９】
上記（１）の構成によれば、嵌合筒部の開きを防止するために、一方の側壁に突設されて他方の側壁に折り重ねられる係止片は、他方の側壁に備えられた凹部に収まり、他方の側壁より外方に突出しない。そのため、防水コネクタ用端子を防水栓に挿通させる際に、係止片が防水栓を傷つけて防水性を損なうことがない。
【００２０】
また、嵌合筒部の開きを防止するための係止片は、単純に隣接する側壁の上に折り重ねる単純加工となるため、高い加工精度が要求されない。従って、加工精度の緩和によって製造コストの低減を図ることができる。
【００２１】
上記（２）の構成によれば、他方の側壁は、外側板材の裏面に内側板材が積層した二重構造となっており、外表面を提供する外側板材の係止片と重なる範囲を切除することで、係止片が収まる凹部を簡単に確保することができ、嵌合筒部の成形性を向上させることができる。
【発明の効果】
【００２２】
本発明による防水コネクタ用端子によれば、嵌合筒部の開きを防止するために、一方の側壁に突設されて他方の側壁に折り重ねられる係止片は、他方の側壁に備えられた凹部に収まり、他方の側壁より外方に突出しない。そのため、防水コネクタ用端子を防水栓に挿通させる際に、係止片が防水栓を傷つけて防水性を損なうことがない。
【００２３】
また、嵌合筒部の開きを防止するための係止片は、単純に隣接する側壁の上に折り重ねる単純加工となるため、高い加工精度が要求されない。従って、加工精度の緩和によって製造コストの低減を図ることができる。
【図面の簡単な説明】
【００２４】
【図１】本発明に係る防水コネクタ用端子の一実施形態の斜視図である。
【図２】図１に示した防水コネクタ用端子の縦断面図である。
【図３】図１に示した防水コネクタ用端子の展開図である。
【図４】図１に示した係止片が折り重ねられる凹部の斜視図である。
【図５】従来の防水コネクタ用端子と防水コネクタの説明図である。
【図６】図５に示した防水コネクタ用端子における開き防止構造の説明図である。
【図７】従来の別の防水コネクタ用端子の斜視図である。
【図８】図７に示した防水コネクタ用端子の縦断面図である。
【発明を実施するための形態】
【００２５】
以下、本発明に係る防水コネクタ用端子の好適な実施形態について、図面を参照して詳細に説明する。
【００２６】
図１〜図４は本発明に係る防水コネクタ用端子の一実施形態の説明図で、図１は一実施形態の防水コネクタ用端子の斜視図、図２は図１に示した防水コネクタ用端子の縦断面図、図３は図１に示した防水コネクタ用端子の展開図、図４は図１に示した係止片が折り重ねられる凹部の斜視図である。
【００２７】
この一実施形態の防水コネクタ用端子１は、金属板のプレス成形により形成される雌型端子で、相手の雄型端子が嵌合する嵌合筒部１０と、この嵌合筒部１０の後端に一体形成されて電線が圧着接続される電線接続部２０と、を備える。
【００２８】
嵌合筒部１０は、金属板の折り曲げ加工によって相手の端子金具が嵌合する角筒構造に成形される。電線接続部２０は、図１及び図２に示すように、電線の導体に加締め付けられる導体加締め片２１と、電線の外被の上に加締め付けられて電線の固定を行う被覆加締め片２２とを備えている。
【００２９】
嵌合筒部１０は、展開形状では、図３に示すように、角筒構造を構成する左右上下の４面の側壁１１，１２，１３，１４となる板部材が順番に並ぶ。
【００３０】
本実施形態の場合、側壁１１は、角筒構造に成形された際に、右部の側壁になる。また、側壁１２は角筒構造に成形された際には下部の側壁になり、側壁１３は角筒構造に成形された際には左部の側壁になり、側壁１４は角筒構造に成形された際には上部の側壁になる。
【００３１】
図３に示した展開形状の４面の側壁１１，１２，１３，１４を折り曲げ加工によって角筒構造に成形すると、展開状態で両端となる側壁１１，１４の側縁同士が突き合される。
【００３２】
側縁同士が突き合される一対の側壁１１，１４の内、右部の側壁となる一方の側壁１１には、係止片１５１，１５２が突設されている。
【００３３】
係止片１５１と係止片１５２は、嵌合筒部１０の前端側及び後端側に装備されている。側壁１１に突設された係止片１５１，１５２は、側壁１１，１４相互の開きを防止するために他方の側壁１４の上に折り重ねられる。
【００３４】
側縁同士が突き合される一対の側壁１１，１４の内の他方の側壁１４は、図３に示すように、外側板材１４１と、内側板材１４２と、を備える。
【００３５】
外側板材１４１は、角筒構造に成形した際に一方の側壁１１に対向する左部の側壁（第３の側壁）１３の側縁から延出して、他方の側壁１４の外表面を提供する。
【００３６】
内側板材１４２は、外側板材１４１から延出し外側板材１４１の裏面に折り重ねられて、板材が二重構造に積層された他方の側壁１４を形成する。
【００３７】
本実施形態の場合、外側板材１４１には、図３に示すように、係止片１５１，１５２と重なる範囲を切除した切り欠き１４１ａ，１４２ｂが形成されている。４面の側壁１１，１２，１３，１４を各筒構造に成形した際、切り欠き１４１ａ，１４２ｂを形成されていることによって、図４に示したように外側板材１４１の裏に折り重ねられた内側板材１４２が露呈し、外側板材１４１から一段下がった凹部１４ａ，１４ｂが形成される。
【００３８】
４面の側壁１１，１２，１３，１４を各筒構造に成形して、係止片１５１，１５２を他方の側壁１４の上に折り重ねると、図１及び図２に示すように、係止片１５１，１５２は、他方の側壁１４の外表面より外方に突出しないように、凹部１４ａ，１４ｂに収まる。
【００３９】
以上に説明した防水コネクタ用端子１は、嵌合筒部１０側から防水コネクタに装着された防水栓に挿通される。
【００４０】
以上に説明した一実施形態の防水コネクタ用端子１では、嵌合筒部１０の開きを防止するために、一方の側壁１１に突設されて他方の側壁１４に折り重ねられる係止片１５１，１５２は、他方の側壁１４に備えられた凹部１４ａ，１４ｂに収まり、他方の側壁１４より外方に突出しない。
【００４１】
そのため、防水コネクタ用端子１を防水栓に挿通させる際に、係止片１５１，１５２が防水栓を傷つけて防水性を損なうことがない。
【００４２】
また、嵌合筒部１０の開きを防止するための係止片１５１，１５２は、単純に隣接する側壁１１，１２，１３，１４の上に折り重ねる単純加工となるため、高い加工精度が要求されない。従って、加工精度の緩和によって製造コストの低減を図ることができる。
【００４３】
また、以上に説明した一実施形態の防水コネクタ用端子１の場合、他方の側壁１４は、外側板材１４１の裏面に内側板材１４２が積層した二重構造となっており、外表面を提供する外側板材１４１の係止片１５１，１５２と重なる範囲を切除することで、係止片１５１，１５２が収まる凹部１４ａ，１４ｂを簡単に確保することができ、嵌合筒部１０の成形性を向上させることができる。
【００４４】
なお、本発明の防水コネクタ用端子は、前述した各実施形態に限定されるものでなく、適宜な変形、改良等が可能である。
【００４５】
例えば、係止片１５１，１５２が収容される凹部１４ａ，１４ｂは、板材の一部を角筒構造の内部側に凹んだ形状にプレス加工することにより形成するようにしても良い。その場合に、他方の側壁１４は二重構造にする必要がなくなる。
【符号の説明】
【００４６】
１  防水コネクタ用端子
１０  嵌合筒部
２０  電線接続部
１１，１２，１３，１４  側壁
１４ａ，１４ｂ  凹部
１４１  外側板材
１４１ａ，１４２ｂ  切り欠き
１４２  内側板材
１５１，１５２  係止片
【図１】
2013026155.tif 000003
【図２】
2013026155.tif 000004
【図３】
2013026155.tif 000005
【図４】
2013026155.tif 000006
【図５】
2013026155.tif 000007
【図６】
2013026155.tif 000008
【図７】
2013026155.tif 000009
【図８】
2013026155.tif 000010